(57)【特許請求の範囲】
【請求項１】
ドライバによって打ち出されるステープルの脚部を折り曲げるクリンチャとこのクリンチャを保持したホルダとを有するクリンチャユニットを備え、前記ステープルの脚部の先端部をクリンチャ側へ案内する傾斜したガイド面が前記ホルダに形成されたステープラーであって、
前記ホルダをクリンチャユニットにステープルの脚部を折り曲げる方向と直交する方向に移動可能に設けたことを特徴とするステープラー。
【請求項２】
前記ドライバを有するドライバユニットを備え、このドライバユニットと前記クリンチャユニットとが上下に分離されていることを特徴とする請求項１に記載のステープラー。
【請求項３】
前記クリンチャは前記ホルダに回動可能に且つその回動面の位置が互いにずれるように配置した一対のクリンチャ部材を有し、これらクリンチャ部材間に仕切板を配置したことを特徴とする請求項１または請求項２に記載のステープラー。
【請求項４】
前記クリンチャユニットは、ドライバと対向する側が開口されたクリンチャユニットボックスを有し、このクリンチャユニットボックス内に前記ホルダを移動可能に配置し、そのホルダの一側壁部とこれに対向するクリンチャユニットボックスの一側壁部との間と、ホルダの他側壁部とこれに対向するクリンチャユニットボックスの他側壁部との間とに付勢部材を配置してホルダを互いに押し合う方向に付勢したことを特徴とする請求項１ないし請求項３のいずれか１つに記載のステープラー。
【請求項５】
前記付勢部材は、ウエーブスプリングであることを特徴とする請求項４に記載のステープラー。
【発明の詳細な説明】
【０００１】
【発明の属する技術分野】
この発明は、ドライバによって打ち出されたステープルの脚部を折り曲げるクリンチャと、このクリンチャを保持したホルダとを備えたステープラーに関する。
【０００２】
【従来の技術】
従来から、往復動してステープルを打ち出すドライバと、このドライバによって打ち出されたステープルの脚部をクリンチするクリンチャとを備えたステープラーが知られている。
【０００３】
かかるステープラーは、図９および図１０に示すように、一対のクリンチャホルダ１,２間に回動自在に取り付けられた一対のクリンチャ部材３,４を有している。クリンチャホルダ１,２の上面には、図１１に示すように内側に傾斜したガイド面１a,２aがそれぞれ一対形成されている。このガイド面１a,２aは、打ち出されたステープルの脚部の先端部をクリンチャ部材３,４上に案内するためのものである。これは、打ち出された際にステープルの脚部の先端部がクリンチャ部材３,４の位置からずれても、その脚部をクリンチできるようにしたものである。すなわち、ドライバの芯がクリンチャ部材３,４の位置からずれていても、ステープルの脚部のクリンチが行えるように許容公差を設けたものである。
【０００４】
【発明が解決しようとする課題】
しかしながら、一方の脚部のみに変形荷重がかかると、ステープルの脚部が座屈してしまう場合があった。特に、ドライバユニットとクリンチャユニットとが上下に分離されている分離型の電動ホッチキスにあっては、ドライバの芯出しが難しく、そのような問題が生じ易かった。
【０００５】
この発明は、上記事情に鑑みてなされたもので、その目的は、ドライバユニットとクリンチャユニットとが上下に分離された上下分離型のステープラーであっても、クリンチ不良や脚部の座屈の防止を図ることのできるステープラーを提供することにある。
【０００６】
【課題を解決する手段】
上記目的を達成するため、請求項１の発明は、ドライバによって打ち出されるステープルの脚部を折り曲げるクリンチャとこのクリンチャを保持したホルダとを有するクリンチャユニットを備え、前記ステープルの脚部の先端部をクリンチャ側へ案内する傾斜したガイド面が前記ホルダに形成されたステープラーであって、
前記ホルダをクリンチャユニットにステープルの脚部を折り曲げる方向と直交する方向に移動可能に設けたことを特徴とする。
【０００７】
請求項２の発明は、前記ドライバを有するドライバユニットを備え、このドライバユニットと前記クリンチャユニットとが上下に分離されていることを特徴とする。
【０００８】
請求項３の発明は、前記クリンチャは前記ホルダに回動可能に且つその回動面の位置が互いにずれるように配置した一対のクリンチャ部材を有し、これらクリンチャ部材間に仕切板を配置したことを特徴とする。
【０００９】
請求項４の発明は、前記クリンチャユニットは、ドライバと対向する側が開口されたクリンチャユニットボックスを有し、このクリンチャユニットボックス内に前記ホルダを移動可能に配置し、そのホルダの一側壁部とこれに対向するクリンチャユニットボックスの一側壁部との間と、ホルダの他側壁部とこれに対向するクリンチャユニットボックスの他側壁部との間とに付勢部材を配置してホルダを互いに押し合う方向に付勢したことを特徴とする。
【００１０】
請求項５の発明は、前記付勢部材は、ウエーブスプリングであることを特徴とする。
【００１１】
【発明の実施の形態】
以下、この発明に係わるステープラーの実施の形態を図面に基づいて説明する。
【００１２】
図１において、１０は上下分離型の電動式のステープラーであり、このステープラー１０は、ドライバユニット１１とこのドライバユニット１１の下方に配置されたクリンチャユニット１００とから構成されている。このステープラー１０は例えば複写機等に装着される。
【００１３】
ドライバユニット１１は、フレーム２０の内側に装着されたマガジン４０と、このマガジン４０に着脱自在に装着されシートステープル(図示せず)を積層収納したカートリッジ５０と、アウターフレーム１２に軸支されたドライバ７０等とを有している。アウターフレーム１２は、ドライバユニット１１を上下動可能に保持しているとともに図示しない複写機などの後処理機本体フレームに固定されている。すなわち、ドライバユニット１１はアウターフレーム１２によって本体フレームに上下動可能に支持されている。
【００１４】
そして、後述するクリンチユニットボックス１１１がドライバユニット１１をアウターフレーム１２に対して押し上げることにより、ドライバ７０の先端部が打出部２１から下方へ突出してステープル(図示せず)をその打出部２１から打ち出していくようになっている。
【００１５】
クリンチャユニット１００は、上下動可能に設けられたクリンチャユニットボックス１１１と、このクリンチャユニットボックス１１１を上下動させる上下機構１１２と、この上下機構１１２を駆動させるモータ１１３等とを備えている。１１４は、後述するクリンチャ部材１３３,１３４を回動動作させるクリンチャアームであり、このクリンチャアーム１１４は軸１１５を中心にして回動するようになっている。このクリンチャアーム１１４の回動はカム１１６の回動によって行われる。
【００１６】
クリンチャユニットボックス１１１は、図２ないし図４に示すように、上部が開口されるとともに前後（図３において左右）に設けた側壁部１１１Ａ,１１１Ｂと左右に設けた側壁部１１１Ｄ,１１１Ｅとを有している。その側壁部１１１Ａ,１１１Ｂ間であってその開口１１１Ｃの下方には互いに所定距離離間した位置に軸１２０,１２０が取り付けられている。開口１１１Ｃにはテーブル１１７（図４では省略してある）が取り付けられており、そのテーブル１１７の中央部には開口１１７Ａが形成されている。
【００１７】
クリンチャユニットボックス１１１内には、軸１２０,１２０上に且つテーブル１１７の開口１１７Ａを臨む位置にホルダ１３０が載置されており、このホルダ１３０が軸１２０,１２０上を滑って軸方向に移動自在となっている。また、ホルダ１３０は後述する直線Ｒ２に対して傾斜可能となっている。
【００１８】
ホルダ１３０は、図５および図６に示すように、相対向した一対のホルダ部材１３１,１３２から構成され、ホルダ部材１３１とホルダ部材１３２とは図示しないネジによって互いに固定されている。ホルダ部材１３１,１３２の上面１３１Ａ,１３２Ａには、図３に示すように、内側に傾斜したガイド面１３１b,１３２bがそれぞれ一対形成されている。この一対のガイド面１３１b,１３２bはステープルの脚部の先端部を内側へ案内するものである。
【００１９】
ホルダ部材１３１,１３２の各内側にはそれぞれ軸部１３１Ｂ,１３２Ｂが形成され、各軸部１３１Ｂ,１３２Ｂにはクリンチャ部材１３３,１３４が回動自在にそれぞれ枢着されている。このクリンチャ部材１３３,１３４は、図２に示すクリンチャアーム１１４が上昇することによって軸部１３１Ｂ,１３２Ｂを中心にして矢印方向に回動し、この回動によりステープル(図示せず)の脚部をクリンチするものである。そして、２つのクリンチャ部材１３３,１３４でクリンチャが構成されている。
【００２０】
また、クリンチャ部材１３３とクリンチャ部材１３４との間には図７に示す仕切板１３５が配置されており、クリンチャ部材１３３,１３４が回動した際に互いに干渉しないようになっている。仕切板１３５の厚さはステープルの肉厚より薄く設定され、仕切板１３５の両端にはネジ孔１３５Ａ,１３５Ａが設けられている。
【００２１】
また、図４に示すようにクリンチャ部材１３３のクリンチ面１３３Ａの肉厚方向に対する中心位置Ｐ1とクリンチャ部材１３４のクリンチ面１３４Ａの肉厚方向に対する中心位置Ｐ2とを結ぶ直線Ｒ1は、クリンチャ部材１３３,１３４のクリンチ面１３３Ａ,１３４Ａの延びる方向（図４において左右方向）の直線Ｒ2に対して約６度傾斜している。
【００２２】
クリンチャユニットボックス１１１内には、このクリンチャユニットボックス１１１の壁１１１Ａ,１１１Ｂとホルダ１３０との間には板バネを波状に形成したウエーブスプリング１３７,１３７が配置され、このウエーブスプリング１３７,１３７によってホルダ１３０はお互いに押し合うように矢印方向に付勢されている。
【００２３】
［動  作］
次に、上記のように構成されるステープラーの動作について説明する。
【００２４】
図示しないシート束が複写機(図示せず)から排出されて複写機から綴り信号が出力されると、クリンチャユニット１００の上下機構１１２のモータ１１３が駆動されてクリンチャユニットボックス１１１が上昇されていく。このクリンチャユニットボックス１１１の上昇により、ドライバユニット１１の打出部２１とによってシート束が挟持される。
【００２５】
さらに、シート束が挟持された状態でクリンチャユニットボックス１１１が上昇すると、ドライバユニット１１がアウターフレーム１２に対して押し上げられていき、ドライバユニット１１のドライバ７０がドライバユニット１１に対して相対的に下降して、打出部２１からステープル(図示せず)が打ち出されていく。
【００２６】
この打ち出されたステープルの脚部がシート束を貫通していき、このシート束を貫通したステープルの脚部Ｓ１が、ドライバの芯とクリンチャ部材の中心位置Ｐ1,Ｐ2とのずれにより、例えば図３に示すようにホルダ部材１３１のガイド面１３１bに当接して、その脚部Ｓ１がドライバ７０により押し下げられていくことにより、ホルダ１３０はスプリングの付勢力に抗して右方（図３において）へ移動していく。
【００２７】
このホルダ１３０の右方への移動により、ドライバの芯とクリンチャ部材１３３,１３４の中心位置Ｐ1,Ｐ2との位置ずれが修正される。そして、クリンチャアーム１１４が上昇してクリンチャ部材１３３,１３４が軸部１３１Ａ,１３２Ａを中心にして矢印方向に回動してステープルの脚部Ｓ１をクリンチしていく。このクリンチの際、ドライバの芯とクリンチャ部材１３３,１３４の中心位置Ｐ1,Ｐ2との位置ずれが修正されているので、そのクリンチを確実に行うことができ、ステープルの脚部Ｓ１の座屈やその脚部Ｓ１のクリンチ不良などを防止することができる。
【００２８】
このように、ホルダ１３０がクリンチャユニットボックス１１１に対して移動するので、クリンチャ部材１３３,１３４の組み付け時の位置設定を極めて厳密に行わなくても、ホルダ１３０が移動することによりクリンチャ部材１３３,１３４の位置ずれを吸収するので、常に正しい綴り形態を提供することができる。
【００２９】
上記実施形態では、分離型のステープラー１０に適用した場合について説明したが、一体型の電動式のステープラーや手動式のステープラーに適用してもよい。
【００３０】
図８は、他の例のクリンチャ部材１５０を示したものである。このクリンチャ部材１５０は一対のホルダ１５１に上下動可能に保持され、ホルダ１５１はホルダ１３０と同様にクリンチャユニットボックス１１１内に移動可能に配置されている。クリンチャ部材１５０は、クリンチャアーム１１４の上昇によりクリンチャ部材１５０が上昇してステープルの脚部Ｓ１をクリンチしていくものである。
【００３１】
【発明の効果】
以上説明したように、この発明によれば、ステープルのクリンチ不良や脚部の座屈の防止を図ることができる。また、クリンチャ部材の組み付け時の位置設定を極めて厳密に行わなくても、ホルダが移動することによりクリンチャ部材の位置ずれを吸収するので、常に正しい綴り形態を提供することができる。
【図面の簡単な説明】
【図１】この発明に係わるステープラーの全体構成を示した概略説明図である。
【図２】ホルダを載置したクリンチャユニットボックスの縦断面図である。
【図３】ホルダを載置したクリンチャユニットボックスの横断面図である。
【図４】ホルダを載置したクリンチャユニットボックスの平面図である。
【図５】クリンチャを取り付けたホルダを示した平面図である。
【図６】クリンチャを取り付けたホルダを示した側面図である。
【図７】仕切り板を示した説明図である。
【図８】他の例のクリンチャ部材を示した説明図である。
【図９】従来のクリンチャホルダを示した説明図である。
【図１０】従来のクリンチャホルダを示した平面図である。
【図１１】従来のクリンチャホルダを示した断面図である。
【符号の説明】
１３１    ホルダ部材
１３２    ホルダ部材
１３１b   ガイド面
１３２b   ガイド面
１３３    クリンチャ部材
１３４    クリンチャ部材
【図１】
0004232371.tif 000002
【図２】
0004232371.tif 000003
【図３】
0004232371.tif 000004
【図４】
0004232371.tif 000005
【図５】
0004232371.tif 000006
【図６】
0004232371.tif 000007
【図７】
0004232371.tif 000008
【図８】
0004232371.tif 000009
【図９】
0004232371.tif 000010
【図１０】
0004232371.tif 000011
【図１１】
0004232371.tif 000012